(57)【要約】      （修正有）【課題】マンションの専有住戸において、靴を履く、脱ぐと言った動作を楽に行うことができるようにした玄関構造を提供する。【解決手段】マンションの専有住戸の玄関１の一端側に下足入れ３を設け、下足入れ３の近傍に腰掛け用のベンチ４を設ける。このベンチ４の高さを、玄関ホール２より高く、かつ、楽に腰掛け、立ち上がることができ、さらに、腰掛けた状態で、容易に靴を履き、脱ぐという動作を行うことができる程度に設定する。また、ベンチ４に収納部４ａを設け、ベンチ４の上方に位置する外壁５に、採光や換気のための窓部６を設けることができる。【選択図】図２
0003107964.tif 000002
【実用新案登録請求の範囲】
【請求項１】
マンションの専有住戸における玄関構造であって、玄関（１）の一端側に下足入れ（３）を設け、前記下足入れの近傍に腰掛け用のベンチ（４）を設け、前記ベンチの高さを，玄関ホール（２）より高く，かつ，楽に腰掛け，立ち上がることができ，さらに，腰掛けた状態で，容易に靴を履き，脱ぐという動作を行うことができる程度に設定してなるマンションの専有住戸の玄関構造。
【請求項２】
マンションの専有住戸における玄関構造であって、玄関（１）の一端側に下足入れ（３）を設け、前記下足入れの近傍に腰掛け用のベンチ（４）を設け、前記ベンチの高さを，玄関ホール（２）より高く，かつ，楽に腰掛け，立ち上がることができ，さらに，腰掛けた状態で，容易に靴を履き，脱ぐという動作を行うことができる程度に設定し、前記ベンチに収納部（４ａ）を設け、前記ベンチの上方に位置する外壁（５）に，採光や換気のための窓部（６）を設けてなるマンションの専有住戸の玄関構造。
【考案の詳細な説明】
【技術分野】
【０００１】
本考案は、マンションの専有住戸において、靴を履く、脱ぐといった動作を楽に行うことのできる構成の玄関構造に関するものである。
【背景技術】
【０００２】
従来、マンションの専有住戸における玄関において、例えば、お年寄りが靴を履いたり、脱いだりする場合、玄関ホールに腰掛けて行う場合がある。
【考案の開示】
【考案が解決しようとする課題】
【０００３】
しかし、マンションの専有住戸における玄関ホールの高さは一般に低いため、そこに腰掛けること自体が厄介であるし、また、そこから立ち上がるのも厄介である。従って、当該玄関ホールに腰掛けて靴を履いたり脱いだりする動作が案外厄介である。
【０００４】
本考案はこうした問題に鑑み創案されたもので、マンションの専有住戸において、靴を履く、脱ぐと言った動作を楽に行うことができるようにした玄関構造を提供することを課題とする。
【課題を解決するための手段】
【０００５】
図１および図２を参照して説明する。請求項１に記載の発明は、マンションの専有住戸における玄関構造であって、  玄関１の一端側に下足入れ３を設け、前記下足入れ３の近傍に腰掛け用のベンチ４を設け、前記ベンチ４の高さを、玄関ホール２より高く、かつ、楽に腰掛け、立ち上がることができ、さらに、腰掛けた状態で、容易に靴を履き、脱ぐという動作を行うことができる程度に設定してなるものである。
なお、上記した動作を楽に行わしめるベンチ４の高さに明確な限定はないが、３０ｃｍ〜４０ｃｍ程度が適当である。
【０００６】
請求項２に記載の発明は、マンションの専有住戸における玄関構造であって、  玄関１の一端側に下足入れ３を設け、前記下足入れ３の近傍に腰掛け用のベンチ４を設け、前記ベンチ４の高さを、玄関ホール２より高く、かつ、楽に腰掛け、立ち上がることができ、さらに、腰掛けた状態で、容易に靴を履き、脱ぐという動作を行うことができる程度に設定し、前記ベンチ４に収納部４ａを設け、前記ベンチ４の上方に位置する外壁５に、採光や換気のための窓部６を設けてなるものである。
【考案の効果】
【０００７】
請求項１に記載のマンションの専有住戸の玄関構造は、玄関１の一端側に下足入れ３を設け、下足入れ３の近傍に腰掛け用のベンチ４を設け、前記ベンチ４の高さを、玄関ホール２より高く、かつ、楽に腰掛け、立ち上がることができ、さらに、腰掛けた状態で、容易に靴を履き、脱ぐという動作を行うことができる程度に設定したので、玄関１において靴を履いたり脱いだりといった動作を楽に行うことができる。
【０００８】
一般に、マンションの専有住戸における玄関ホール２は、戸建ての住宅と異なり、その高さが低く設定されているので、当該玄関ホール２に腰掛けて靴を履いたり脱いだりすることが意外と厄介である。本発明におけるベンチ４は、専有住戸の玄関ホール２より高く設定し、かつ、腰掛けおよび立上りが楽で、靴を履き、脱ぐといった動作を容易に行うことができる高さに設定しているので、靴の脱ぎ履きといった動作を楽に行うことができる。特に、お年寄りや、身体が不自由で立った姿勢のまま靴の脱ぎ履きが困難な人にとっては、きわめて実用的である。
【０００９】
請求項２に記載のマンションの専有住戸の玄関構造も、請求項１に記載の発明と同様に、ベンチ４に腰掛けて、靴を履いたり脱いだりと言った動作を容易に行うことができる。
【００１０】
また、この玄関構造は、ベンチ４に収納部４ａを設けているので、靴やその他の日用品などを収納することができ、便利である。
【００１１】
さらに、当該玄関構造は、ベンチ４の上方に位置する外壁５に、採光や換気のための窓部６を設けているので、自然光によって、玄関１全体を明るく開放的にすることができ、また、靴を履いたり脱いだりする際の足元を明るくすることができる。さらに、新鮮な外気を効果的に採り入れることができる。
【考案を実施するための最良の形態】
【００１２】
本考案に係るマンションの専有住戸の玄関構造の実施形態を、図１および図２に示す。これは、マンションの専有住戸における玄関構造である。この玄関１の一端側（左側）には下足入れ３を設け、この下足入れ３の前側に腰掛け用のベンチ４を設けている。このベンチ４の高さは、玄関ホール２より高く、かつ、楽に腰掛け、立ち上がることができ、さらに、腰掛けた状態で、容易に靴を履き、脱ぐという動作を行うことができる程度に設定している。なお、このベンチ４の高さは特に限定されるものではないが、３０ｃｍ〜４０ｃｍ程度が好ましい。
【００１３】
また、このベンチ４には、腰掛け部分より下位部分に収納部４ａを設けている。  さらに、ベンチ４の上方に位置する外壁５に、採光や換気のための窓部６を設けている。
【００１４】
なお、この専有住戸には、玄関ポーチ７、廊下８、居室９、トイレルーム１０などが設けられ、玄関ポーチ７は門扉１１を介して共用廊下１１に通じている。
【００１５】
本実施形態におけるマンションの専有住戸の玄関構造は、玄関１の下足入れ３の近傍に、靴を履いたり脱いだりするのに適した高さのベンチ４を設けたので、靴の脱ぎ履きを楽に行うことができる。これは、特に、お年寄りや身体の不自由な人など、立ったままの姿勢の靴を履いたり脱いだりすることが困難な人にとって、実用性が高い。
【００１６】
また、このベンチ４には収納部４ａを設けているので、靴や日用品などを収納することができ便利である。
【００１７】
さらに、このベンチ４の上方に位置する外壁５に窓部６を設けたので、この窓部６から自然光を採り入れることができ、玄関１を明るく開放的なものとすることができると共に、靴を履いたり脱いだりする際の足元を明るくすることができる。また、新鮮な外気を玄関１および住戸全体に採り入れることができる。
【００１８】
なお、本実施形態においては、ベンチ４を下足入れに対して垂直方向に設けているが、本発明はこれに限定するものではなく、例えば、下足入れに対して平行に対面させて設けることもできるし、斜め方向に設けることもできる。
【図面の簡単な説明】
【００１９】
【図１】本考案に係るマンションの専有住戸の玄関構造の実施形態を示す平面図である。
【図２】図１に示す玄関構造の要部概略正面図である。
【符号の説明】
【００２０】
１      玄関
１ａ    玄関扉
２      玄関ホール
３      下足入れ
４      ベンチ
４ａ    収納部
５      外壁
６      窓部
７      玄関ポーチ
８      廊下
９      居室
１０    トイレルーム
１１    門扉
１２    共用廊下
Ｄ      ドア
【図１】
0003107964.tif 000003
【図２】
0003107964.tif 000004